(57)【要約】【課題】カード情報のデータのスキミングを完全に防止することができるカードリーダライタを提供する。【解決手段】カード型情報媒体Ｃを出入可能なハウジング部２と、該ハウジング部２に設けられ、カード型情報媒体Ｃを搬送すると共にカード型情報媒体Ｃの搬送経路を構成する搬送部３と、前記搬送経路上のカード型情報伝達媒体Ｃに対して、データの消去動作、データの読取動作又はデータの書込動作のうち少なくとも一つを行うカード処理部４とを備えたカードリーダライタ１において、搬送部３は、ハウジング部２に挿し込まれたカード型情報媒体Ｃを搬送してハウジング部２の内方に導く一対のローラ３Ａ（７，９）を備えており、該一対のローラ３Ａのうち少なくとも一方（７）は、該ローラ（７）の径方向外方に突出すると共に他方のローラ（９）の周面と隣接する面が回転軸線に直交した断面輪郭において弧状となった突出部を有することを特徴とする。【選択図】図１
2010049401.tif 000002
【特許請求の範囲】
【請求項１】
カード型情報媒体を出入可能なハウジング部と、
該ハウジング部に設けられ、前記カード型情報媒体を搬送すると共に前記カード型情報媒体の搬送経路を構成する搬送部と、
前記搬送経路上の前記カード型情報伝達媒体に対して、データの消去動作、データの読取動作又はデータの書込動作のうち少なくとも一つを行うカード処理部とを備えたカードリーダライタにおいて、
前記搬送部は、前記ハウジング部に挿し込まれた前記カード型情報媒体を搬送して前記ハウジング部の内方に導く一対のローラを備えており、
該一対のローラのうち少なくとも一方は、該ローラの径方向外方に突出すると共に他方のローラの周面と隣接する面が回転軸線に直交した断面輪郭において弧状となった突出部を有することを特徴とするカードリーダライタ。
【請求項２】
前記一対のローラのうち少なくとも一方は、前記突出部を複数有し、
これら複数の突出部のうち少なくとも一部は、互いに異なるローラ半径から形成されていることを特徴とする請求項１に記載のカードリーダライタ。
【請求項３】
前記ローラ半径は、前記カード型情報媒体の搬送速度が、ジッター異常により前記データを読み出し不能となる速度パターンとなるように設定されることを特徴とする請求項１又は２に記載のカードリーダライタ。
【請求項４】
前記突出部の位置は、前記カード型情報媒体の搬送速度が、ジッター異常により前記データを読み出し不能となる速度パターンとなるように設定されることを特徴とする請求項１から３のうちいずれか一項に記載のカードリーダライタ。
【発明の詳細な説明】
【技術分野】
【０００１】
本発明は、スキミングを完全に防止することができるカードリーダライタに関するものである。
【背景技術】
【０００２】
周知のように、キャッシュカード等のカード型情報伝達媒体に記録されている各種データを不正に読み取るスキミングは、データを読み取る機能を持ったスキマーという装置を用いて行われている。例えば、金融機関等のＡＴＭ（Automated Teller Machine）においては、カードリーダライタへのカード挿入部を巧妙に模したスキマーを正規のカード挿入部と交換してスキミングを行う手法が報告されている。これは、カードリーダライタに一定の速度で取込・排出されるカード型情報媒体に対して、外部に固定されたスキマーで磁気データ（ＭＳデータ）を不正に読み取るものである。
【０００３】
この種のスキミングを防止する技術として、特許文献１には、カード搬送制御部が搬送ローラでカードを挟持すると搬送ローラの回転速度を変化させる（回転方向の変更も含む）ものが開示されている。すなわち、カードを間欠的に搬送しながら本体に取り込むことにより、挿入口の前面に不正カード読取機を取り付けたときにも、カード情報の不正な読み取りを防止するものである。
【０００４】
また、特許文献２には、カードスロットから磁気カードを取込時または排出時において、磁気カードの一部がカードスロットから外部に突出状態で、磁気カードを一時的に停止或いは逆送させるものが開示されている。すなわち、停止或いは逆送させることで、磁気カード情報の不正な読み取りを防止するものである。
【特許文献１】特開２００４−１７１２０５号公報
【特許文献２】特開２００１−０２２８９４号公報
【発明の開示】
【発明が解決しようとする課題】
【０００５】
しかしながら、上記特許文献１、２の技術は、カードの搬送速度を変化させることでカードのデータの不正な読み取りを防止しているが、搬送速度の変化の仕方は一種類のみで一定である。従って、悪質なスキミングをしようとする者は、搬送速度の変化の仕方を解明して特定し、搬送速度の変化に対応した新たなスキミングの手口を考慮し得るという問題があった。
【０００６】
本発明は、このような事情を考慮してなされたもので、その目的は、カード情報のデータのスキミングを完全に防止することができるカードリーダライタを提供することにある。
【課題を解決するための手段】
【０００７】
上記目的を達成するために、本発明は以下の手段を採用している。
カードリーダライタに係る解決手段として、カード型情報媒体を出入可能なハウジング部と、該ハウジング部に設けられ、前記カード型情報媒体を搬送すると共に前記カード型情報媒体の搬送経路を構成する搬送部と、前記搬送経路上の前記カード型情報伝達媒体に対して、データの消去動作、データの読取動作又はデータの書込動作のうち少なくとも一つを行うカード処理部とを備えたカードリーダライタにおいて、前記搬送部は、前記ハウジング部に挿し込まれた前記カード型情報媒体を搬送して前記ハウジング部の内方に導く一対のローラを備えており、該一対のローラのうち少なくとも一方は、該ローラの径方向外方に突出すると共に他方のローラの周面と隣接する面が回転軸線に直交した断面輪郭において弧状となった突出部を有する、という手段を採用する。
【０００８】
また、カードリーダライタに係る解決手段として、前記一対のローラのうち少なくとも一方は、前記突出部を複数有し、これら複数の突出部のうち少なくとも一部は、互いに異なるローラ半径から形成されている、という手段を採用する。
【０００９】
また、カードリーダライタに係る解決手段として、前記ローラ半径は、前記カード型情報媒体の搬送速度が、ジッター異常により前記データを読み出し不能となる速度パターンとなるように設定される、という手段を採用する。
【００１０】
また、カードリーダライタに係る解決手段として、前記突出部の位置は、前記カード型情報媒体の搬送速度が、ジッター異常により前記データを読み出し不能となる速度パターンとなるように設定される、という手段を採用する。
【発明の効果】
【００１１】
本発明によれば、例えば、ＡＴＭのカード挿入部に不正に取り付けられたスキミング装置に対して、カード型情報媒体のＭＳデータを正しく読み取ることができない搬送方法を提供するため、スキミングを防止することができる。
また、カード挿入タイミングが利用者毎に異なるため、搬送速度の変化ポイントが利用者毎に異なる。これにより、搬送方式を特定することができず、搬送制御そのものの解読も困難となり、スキミングを完全に防止することができる。
【発明を実施するための最良の形態】
【００１２】
以下、図面を参照し、本発明の実施の形態について説明する。なお、以下に説明する実施の形態は、本発明の実施の形態のうち一例を示すものであり、本発明は、この実施の形態に限定されるものではない。
【００１３】
図１は、本発明の実施形態に係るカードリーダライタ１の概略構成図である。
このカードリーダライタ１は、金融機関で用いられるＡＴＭに搭載されるものであり、図１に示すように、ＭＳ情報を有するキャッシュカード（カード型情報媒体）Ｃを出入可能なハウジング部２と、キャッシュカードＣを搬送すると共にキャッシュカードＣの搬送経路を構成する搬送部３と、キャッシュカードＣのデータを読み取るカード処理部４と、キャッシュカードＣの挿入を検知する挿入センサ部５と、この挿入センサ部５から供給される検知信号に基づいて搬送部３を動作させる搬送制御部６とを備えている。
【００１４】
図１に示すように、ハウジング部２は、キャッシュカードＣを挿入・排出する開口部２ａが形成されたものである。このハウジング部２は、ＡＴＭの筐体ａ１に取り付けられたカード挿入部ａ２に、より具体的には、カード挿入部ａ２のカード挿入口ａ３に、開口部２ａを重ねるようにしてＡＴＭ内部に固定されている。
【００１５】
搬送部３は、キャッシュカードＣの搬送経路を構成し、それぞれ一対のローラからなる第一ローラユニット３Ａと、第二ローラユニット３Ｂと、第三ローラユニット３Ｃと、これらを駆動する搬送駆動モータ３Ｄとを備えている。
【００１６】
第一ローラユニット３Ａは、駆動側となる突出ローラ７と、従動側となる平ローラ９とを備えている。
図２に示すように、突出ローラ７の外周面には、径方向外方に突出する突出部７ａ〜７ｄと、これら突出部７ａ〜７ｄの間に形成された窪み部８ａ〜８ｄとを備えている。
突出部７ａ〜７ｄは、平ローラ９の周面と隣接する面が回転軸線Ｐに直交した断面輪郭において弧状に形成されており、窪み部８ａ〜８ｄは、その底面が回転軸線Ｐに直交した断面輪郭において弧状に形成されている。
【００１７】
すなわち、この突出ローラ７は、複数の異なるローラ半径Ｒで形成されている。具体的には、突出部７ａ，７ｃがローラ半径Ｒ１、突出部７ｂがローラ半径Ｒ２、突出部７ｄがローラ半径Ｒ３で形成されており、窪み部８ａ〜８ｄのローラ半径Ｒ４〜Ｒ７がローラ半径Ｒ１〜Ｒ３よりも小さく形成されており、突出部７ａ〜７ｄが平ローラ９と接触し、窪み部８ａ〜８ｄは平ローラ９と接触しない構成とされている。
なお、ローラ半径Ｒ１〜Ｒ３の関係は、Ｒ１＜Ｒ２＜Ｒ３となっている。
【００１８】
平ローラ９は、一定のローラ半径Ｒで構成されており、第一ローラの外周部と隣接する外周部が弾性部材により構成されている。
第二ローラユニット３Ｂと、第三ローラユニット３Ｃをそれぞれ構成するローラは、駆動側及び従動側の双方が平ローラで構成されている。
【００１９】
これら第一ローラユニット３Ａ、第二ローラユニット３Ｂ、第三ローラユニット３Ｃは、この順に開口部２ａ近傍から直線状に間隔を空けて配置されており、キャッシュカードＣの搬送経路を構成している。そして、それぞれの駆動側のローラの駆動軸に駆動ベルト１０が巻架されている。
【００２０】
搬送駆動モータ３Ｄは、搬送制御部６から駆動信号が供給されると回転し、搬送駆動モータの３Ｄの出力軸と突出ローラ７の駆動軸とに懸架された駆動ベルト１１を介して、突出ローラ７を回転させる。
【００２１】
このような構成の搬送部３は、突出ローラ７が異なる半径の弧を複数保有した構造を有しているため、キャッシュカードＣを取り込む際に、その半径に応じた搬送速度でキャッシュカードＣをカードリーダライタ１内に取り込む。その際の搬送速度の変化は、キャッシュカードＣのＭＳデータのビット０及び１が判別できない搬送となるように、つまり、平ローラ９と接触するローラ半径Ｒ１〜Ｒ３を有する構造によって搬送速度が変動したり、キャッシュカードＣに触れない窪み部８ａから８ｄを有することによって、途中で止まったりしてジッタ異常を起こす搬送をするように設定されている。
【００２２】
カード処理部４は、磁気ヘッド４ａ，４ｂから構成されており、第二ローラユニット３Ｂと第三ローラユニット３Ｃとの間に設けられている。すなわち、このカード処理部４は、磁気ヘッド４ａ，４ｂの間に搬送されたキャッシュカードＣのＭＳ情報を読み取るように構成されている。
【００２３】
挿入センサ部５は、光学式センサであり、開口部２ａと第一ローラユニット３Ａとの間に設けられている。この挿入センサ部５は、センサ光がキャッシュカードＣに遮蔽されて、明から暗に変化することにより、キャッシュカードＣが挿入されたことを検出し、この検出信号を搬送制御部６に供給する。
【００２４】
搬送制御部６は、挿入センサ部５から検出信号が供給されると所定の時間だけ搬送駆動モータ３Ｄに対して駆動信号を供給する。また、ＡＴＭ装置本体から手続きが終了したことを示す信号を受けると搬送駆動モータ３Ｄを逆回転させるようになっている。
【００２５】
次に、上記の構成からなるカードリーダライタ１の動作について、図を用いて説明する。図３に示すように、カードリーダライタ１が搭載されたＡＴＭのカード挿入部ａ２がスキマーＳに交換されている場合について説明する。
このスキマーＳは、カード挿入口ｓ３の上部と下部とに、キャッシュカードＣのＭＳデータ（ＪＩＳ２あるいはＩＳＯ）を読み取るヘッドｓ１とｓ２とを具備する。また、このスキマーＳは、ＡＴＭの筐体ａ１のカード挿入部ａ２の形態が模倣されており、一般利用者にはスキマーが装着されているかどうか分かり難いものとなっている。なお、ヘッドｓ１，ｓ２は、片側だけの場合もある。
【００２６】
まず、スキマーＳのカード挿入口ｓ３からハウジング部２の開口部２ａにキャッシュカードＣが挿入される。挿入センサ部５は、この検出信号を搬送制御部６に供給する。搬送制御部６は、挿入センサ部５からの検出信号を受けて搬送駆動モータ３Ｄに駆動信号を供給し、搬送駆動モータ３Ｄを起動する。
【００２７】
搬送駆動モータ３Ｄは、駆動ベルト１１を介して突出ローラ７を回転させ、また、駆動ベルト１０，１１を介して、第二ローラユニット３Ｂ，第三ローラユニット３Ｃの駆動側のローラをそれぞれ回転させる。そして、平ローラ９と、第二ローラユニット３Ｂ及び第三ローラユニット３Ｃの従動側のローラがそれぞれ回転する。
【００２８】
第一ローラユニット３Ａは、開口部２ａに挿入されたキャッシュカードＣをカードリーダライタ１内部に引き込む。この際、突出ローラ７は、異なる半径の弧を複数保有した構造を有しているため、キャッシュカードＣを取り込む際に、その半径に応じた搬送速度でキャッシュカードＣをカードリーダライタ１内に引き込む。
【００２９】
この際に、突出ローラ７の異なる半径の弧を複数保有した構造によって、キャッシュカードＣの搬送速度が変化する。このキャッシュカードＣの搬送速度の変化を、図２と、図４に示す縦軸に搬送速度、横軸に時間をとったグラフとで説明する。
【００３０】
まず、図２に示すローラ半径Ｒ１の突出部７ａは、図４の時間Ｔ１に相当し、速度Ｆ１でキャッシュカードＣを搬送する。次に、図２に示すローラ半径Ｒ７の窪み部８ｄは、図４に示す時間Ｔ２に相当し、速度０、つまり、ローラ円弧（外周面）がキャッシュカードＣに触れないために搬送しない。次に、図２に示すローラ半径Ｒ３の突出部７ｄは、図４に示す時間Ｔ３に相当し、速度Ｆ３で搬送する。次に、図２に示すローラ半径Ｒ６の窪み部８ｃは、図４に示す時間Ｔ４に相当し、ローラ円弧がキャッシュカードＣに触れないために搬送しない（速度０）。次に、図２に示すローラ半径Ｒ１の突出部７ｃは、図４に示す時間Ｔ５に相当し、速度Ｆ１で搬送する。次に、図２に示すローラ半径Ｒ５の窪み部８ｂは、図４の時間Ｔ６に相当し、ローラ円弧がキャッシュカードＣに触れないために搬送しない（速度０）。次に、図２に示すローラ半径Ｒ２の突出部７ｂは、図４に示す時間Ｔ７に相当し、速度Ｆ２で搬送する。
【００３１】
これが、本実施例記載の突出ローラ７の搬送速度変化である。上記搬送方式は、例えば、ジッタ異常をきたすようなＭＳデータのビット０および１の判別できない搬送速度変化を有する。
すなわち、スキマーＳは、キャッシュカードＣのＭＳ情報を読み取ることができない。
【００３２】
第一ローラユニット３Ａは、上記のように搬送速度を変化させながら、キャッシュカードＣを第二ローラユニット３Ｂまで搬送する。そして、第二ローラユニット３ＢにキャッシュカードＣの先端が取り込まれるのとほぼ同時に、第一ローラユニット３ＡによるキャッシュカードＣの搬送が終了する。
その後、第二ローラユニット３ＢによるキャッシュカードＣの搬送が始まると、キャッシュカードＣの搬送速度は一定となる。カード処理部４は、一定速度で搬送されるキャッシュカードＣのＭＳ情報を読み取る。
【００３３】
ＡＴＭで所定の操作が終了すると、キャッシュカードＣが開口部２ａを介してスキマーＳのカード挿入口ｓ３から排出される。この際にも、突出ローラ７によって排出されるため、上記とは逆順の搬送速度の変化が発生し、スキマーＳにＭＳ情報が読み取られることはない。
【００３４】
以上説明したように、カードリーダライタ１においては、ＡＴＭのカード挿入口に不正に取り付けられたスキマーＳに対して、キャッシュカードＣのＭＳデータを正しく読み取ることができない搬送方法を提供するため、スキミングを防止することができる。
また、カード挿入タイミングが利用者毎に異なるため、搬送速度の変化ポイントがその度に異なる。これにより、搬送方式を特定することができず、搬送制御そのものの解読も困難となり、スキミングを完全に防止することができる。
【００３５】
すなわち、カードリーダライタ１によれば、キャッシュカードＣをハウジング部２の内方に導く第一ローラユニット３Ａを備え、この第一ローラユニット３Ａを構成する突出ローラ７が、突出ローラ７の径方向外方に突出すると共に平ローラ９の周面と隣接する面が回転軸線Ｐに直交した断面輪郭において弧状となった突出部７ａ〜７ｄを有するので、キャッシュカードＣの搬送速度を変動させることができる。
【００３６】
また、これら複数の突出部７ａ〜７ｄのうち、突出部７ａ，７ｃと、突出部７ｂと，突出部７ｄとが異なるローラ半径Ｒとなっているので、キャッシュカードＣの速度変化を多様なものとすることができる。
【００３７】
また、ローラ半径Ｒは、キャッシュカードＣの搬送速度が、ジッター異常によりＭＳデータを読み出し不能となる速度パターンとなるように設定されているので、スキミングをより効果的に防止することができる。
【００３８】
なお、上述した実施の形態において示した動作手順、あるいは各構成部材の諸形状や組み合わせ等は一例であって、本発明の主旨から逸脱しない範囲において設計要求等に基づき種々変更可能である。
例えば、上述した実施の形態では、カード型情報媒体としてキャッシュカードを例にしてこれを説明したが、クレジットカード等であってもよい。
【００３９】
また、上述した実施の形態では、窪み部８ａ〜８ｄの底面の断面輪郭を弧状に構成したが、平ローラ９に接触しないことを条件として他の形状であってもよい。
【００４０】
また、上述した実施の形態では、平ローラ９の外周部を弾性部材で構成することで、突出部７ａ〜７ｄのローラ半径Ｒの差分を吸収する構成としたが、必ずしも必要ではない。一方、突出ローラ７と平ローラ９とのうち、少なくとも一方に他方の方向に向けて付勢する機構を設けてもよい。このような機構を設けることで、突出部７ａ〜７ｄのローラ半径Ｒの差分を大きくすることができ、搬送速度の変化を大きくすることができる。
【００４１】
また、上述した実施の形態では、突出部７ａ〜７ｄの間に窪み部８ａから８ｄを設ける構成としたが、これに限らない。例えば、ローラ半径が異なる突出部を連続して設ける構成としてもよい。
また、突出部の周方向の長さやその配置又はその数も上述したものに限られないのは、言及するまでもない。
【図面の簡単な説明】
【００４２】
【図１】本発明の実施形態に係るカードリーダライタ１の概略構成図である。
【図２】本発明の実施形態に係る突出ローラ７の概略構成図である。
【図３】本発明の実施形態に係るカードリーダライタ１が搭載されたＡＴＭを示す概略構成図であって、スキマーＳが不正に取り付けられた状態を示す図である。
【図４】本発明の実施形態に係る搬送速度の変化を示すグラフであって、縦軸に搬送速度を、横軸に時間をとったグラフである。
【符号の説明】
【００４３】
１…カードリーダライタ
２…ハウジング部
３…搬送部
３Ａ…第一ローラユニット（一対のローラ）
４…カード処理部
７…突出ローラ
７ａ〜７ｄ…突出部
Ｃ…キャッシュカード（カード型情報媒体）
Ｒ（Ｒ１〜Ｒ７）…ローラ半径
【図１】
2010049401.tif 000003
【図２】
2010049401.tif 000004
【図３】
2010049401.tif 000005
【図４】
2010049401.tif 000006